(57)【要約】ミシン目切り離し力特性を有する複数のミシン目入りワイプを取り出すためのシステムが提供される。このシステムは、取り出し力特性を有し、密封可能なチャンバを含むディスペンサーを含む。チャンバは、その中に複数のミシン目入りワイプを保持するように構成されている。取り出し開口は、チャンバと連通している。開口は、開口を通してワイプを複数のミシン目入りワイプからディスペンサーの外へ取り出すようになっている。ワイパーブレードは、ワイプが開口を通って取り出される時にワイプの少なくとも一部分に係合するようにディスペンサーの中に配置される。ワイプを取り出すときに、ミシン目切り離し力特性と取り出し力特性との比は、１：１より大きい。
2004506455.tif 000002
【特許請求の範囲】
【請求項１】
ミシン目切り離し力特性を有する複数のミシン目入りワイプにおいて、
取り出し力特性を有し、前記複数のミシン目入りワイプをその中に保持するように構成された密封可能なチャンバを含むディスペンサーと、
それを通して前記複数のミシン目入りワイプからワイプを前記ディスペンサーの外へ取り出すようになっている、前記チャンバと連通した取り出し開口と、
前記開口を通して前記ワイプが取り出される時、前記ワイプの少なくとも一部分に係合するように前記ディスペンサー内に配置されたワイパーブレードと、
を含み、
前記ミシン目切り離し力特性と前記取り出し力特性との比が１：１より大きいことを特徴とする、複数のミシン目入りワイプの取り出しシステム。
【請求項２】
前記比は、約１．５：１に等しいか又はそれより大きいことを特徴とする、請求項１に記載のシステム。
【請求項３】
前記比は、約２：１に等しいか又はそれより大きいことを特徴とする、請求項１に記載のシステム。
【請求項４】
前記比は、約２．５：１に等しいか又はそれより大きいことを特徴とする、請求項１に記載のシステム。
【請求項５】
前記比は、約３：１に等しいか又はそれより大きいことを特徴とする、請求項１に記載のシステム。
【請求項６】
前記比は、約４：１に等しいか又はそれより大きいことを特徴とする、請求項１に記載のシステム。
【請求項７】
前記比は、約５：１に等しいか又はそれより大きいことを特徴とする、請求項１に記載のシステム。
【請求項８】
前記比は、約６：１に等しいか又はそれより大きいことを特徴とする、請求項１に記載のシステム。
【請求項９】
前記比は、約７：１に等しいか又はそれより大きいことを特徴とする、請求項１に記載のシステム。
【請求項１０】
前記ワイパーブレードは、デュロメータで約８０に等しいか又はそれより小さいショアＡ硬さを有することを特徴とする、請求項１に記載のシステム。
【請求項１１】
前記ワイパーブレードは、デュロメータで約６０に等しいか又はそれより小さいショアＡ硬さを有することを特徴とする、請求項１に記載のシステム。
【請求項１２】
前記ワイパーブレードは、デュロメータで約５０に等しいか又はそれより小さいショアＡ硬さを有することを特徴とする、請求項１に記載のシステム。
【請求項１３】
前記ワイパーブレードは、デュロメータで約４０と約２５の間であるショアＡ硬さを有することを特徴とする、請求項１に記載のシステム。
【請求項１４】
ミシン目切り離し力特性を有する複数のミシン目入りワイプにおいて、
取り出し力特性を有し、前記複数のミシン目入りワイプをその中に保持するように構成された密封可能なチャンバを含むディスペンサーと、
それを通して前記複数のミシン目入りワイプからワイプを前記ディスペンサーの外へ取り出すようになっている、前記チャンバと連通した取り出し開口と、
前記開口を通して前記ワイプが取り出される時、前記ワイプの少なくとも一部分に係合するように前記ディスペンサー内に配置されたワイパーブレードと、
を含み、
前記取り出し力特性は、０ｇ／ｃｍより大きく、約７５ｇ／ｃｍより小さいことを特徴とする、複数のミシン目入りワイプの取り出しシステム。
【請求項１５】
前記取り出し力特性は、約６５ｇ／ｃｍより小さいことを特徴とする、請求項１４に記載のシステム。
【請求項１６】
前記取り出し力特性は、約５５ｇ／ｃｍより小さいことを特徴とする、請求項１４に記載のシステム。
【請求項１７】
前記取り出し力特性は、約４５ｇ／ｃｍより小さいことを特徴とする、請求項１４に記載のシステム。
【請求項１８】
前記取り出し力特性は、約３５ｇ／ｃｍより小さいことを特徴とする、請求項１４に記載のシステム。
【請求項１９】
前記ワイパーブレードは、デュロメータで約５０に等しいか又はそれより小さいショアＡ硬さを有することを特徴とする、請求項１４に記載のシステム。
【請求項２０】
前記ワイパーブレードは、デュロメータで約４５に等しいか又はそれより小さいショアＡ硬さを有することを特徴とする、請求項１４に記載のシステム。
【請求項２１】
前記ワイパーブレードは、デュロメータで約４０と約３０の間であるショアＡ硬さを有することを特徴とする、請求項１４に記載のシステム。
【請求項２２】
ミシン目切り離し力特性を有するミシン目入りワイプのロールと、
取り出し力特性を有し、前記ミシン目入りワイプのロールをその中に保持する密封可能なチャンバを含むディスペンサーと、
それを通して前記ミシン目入りワイプのロールからワイプを前記ディスペンサーの外へ取り出すようになっている、前記チャンバと連通した取り出し開口と、
前記開口を通して前記ワイプが取り出される時、前記ワイプの少なくとも一部分に係合するように前記ディスペンサー内に配置された弾性ワイパーブレードと、
を含み、
前記ミシン目切り離し力特性と前記取り出し力特性との比が１：１より大きいことを特徴とする、ワイプのロールの取り出しシステム。
【請求項２３】
前記比は、１：１より大きく、約７：１に等しいか又はそれより小さいことを特徴とする、請求項２２に記載のシステム。
【請求項２４】
前記ミシン目切り離し力特性は、５５ｇ／ｃｍより大きいことを特徴とする、請求項２２に記載のシステム。
【請求項２５】
前記ミシン目切り離し力特性は、約６０ｇ／ｃｍより大きく、約１５０ｇ／ｃｍより小さいことを特徴とする、請求項２２に記載のシステム。
【請求項２６】
前記ワイパーブレードは、デュロメータで約３０から約７０の間のショアＡ硬さを有することを特徴とする、請求項２２に記載のシステム。
【請求項２７】
ミシン目切り離し力特性を有するミシン目入りワイプのロールを備え、
前記ミシン目切り離し力特性が、５５ｇ／ｃｍより大きいことを特徴とする、取り出しシステムで使用するためのワイプのロール。
【請求項２８】
前記ミシン目切り離し力特性は、約６０ｇ／ｃｍより大きいことを特徴とする、請求項２７に記載のワイプのロール。
【請求項２９】
前記ミシン目切り離し力特性は、約６５ｇ／ｃｍより大きいことを特徴とする、請求項２７に記載のワイプのロール。
【請求項３０】
前記ミシン目切り離し力特性は、約７５ｇ／ｃｍより大きいことを特徴とする、請求項２７に記載のワイプのロール。
【請求項３１】
前記ミシン目切り離し力特性は、約８５ｇ／ｃｍより大きく、約１３０ｇ／ｃｍより小さいことを特徴とする、請求項２７に記載のワイプのロール。
【請求項３２】
取り出し力特性を有し、前記ミシン目入りワイプのロールをその中に保持するように構成された密封可能なチャンバを備えるディスペンサーと、
そこを通して前記ミシン目入りワイプのロールからワイプを前記ディスペンサーの外へ取り出すようになっている、前記チャンバと連通した取り出し開口と、
開口を通して前記ワイプが取り出される時、前記ワイプの少なくとも一部分に係合するようにディスペンサー内に配置されたワイパーブレードと、
請求項２８に記載のワイプのロールとが、
前記ミシン目切り離し力特性と前記取り出し力特性との比が１：１より大きくなるように組み合わされていることを特徴とする組み合わせ。
【請求項３３】
前記比は、約１．５：１に等しいか又はそれより大きいことを特徴とする、請求項３２に記載のシステム。
【請求項３４】
前記比は、約２：１に等しいか又はそれより大きいことを特徴とする、請求項３２に記載のシステム。
【請求項３５】
前記比は、約２．５：１に等しいか又はそれより大きいことを特徴とする、請求項３２に記載のシステム。
【請求項３６】
前記比は、約３：１に等しいか又はそれより大きいことを特徴とする、請求項３２に記載のシステム。
【請求項３７】
前記比は、約４：１に等しいか又はそれより大きいことを特徴とする、請求項３２に記載のシステム。
【請求項３８】
前記比は、約５：１に等しいか又はそれより大きいことを特徴とする、請求項３２に記載のシステム。
【発明の詳細な説明】
【０００１】
（技術分野）
本出願は、１９９９年４月３０日に提出された米国特許仮出願番号６０／１３２，０２４号の米国特許法第１１９条（ｅ）項に従った出願日の優先を主張する、２０００年４月１０日に提出された出願番号０９／５４５，９９５の、「予め湿らせたワイプ用のディスペンサー」と題された係属中の米国特許出願の一部継続出願である、２０００年５月４日に提出された出願番号０９／５６５，２２７の、「ウェットワイプを取出すためのシステム及びディスペンサー」と題された、係属中の米国特許出願の一部継続出願である、２０００年９月１２日に提出された出願番号０９／６６０，０４０の、「ウェットワイプのロール」と題された、係属中の米国特許出願の一部継続出願であり、これら米国特許出願は、引用により本明細書に組み込まれる。
【０００２】
（背景技術）
ウェットワイプなどのウェット製品には、多くの用途がある。それらは、おむつ交換の時に小児や乳児に使用される場合もあれば、家庭の清掃仕事に使用される場合もあり、手の清浄に使用される場合もあり、バスティシューとして使用される場合もあり、介護者が身体に障害のあるか又は失禁症の大人を清浄にする際に使用される場合もあり、或いは特定の濡れ又は湿りがあるワイプ又はタオルを有することが有利である他の多くの用途で、及びそのような用途に使用される場合もある。
【０００３】
従来、ウェットワイプは、上部にヒンジ式の蓋の付いた桶状の容器からシートの形で取出されてきた。蓋が開けられ、個々の又は一枚づつにされるワイプのシートが取り出される。ウェットワイプ用に使用されてきた別の種類の容器は、１ロールのワイプを供給するが、ワイプは容器の上部からロールの軸に平行な方向へ引張られる。これらのワイプは、ミシン目を入れたシートを有する中空の芯無しロールの中央から引張られる。一般に、これらの容器は、スナップ式の上蓋を有し、それが開けられると一枚のワイプが現れ、次いでそれを引っ張って所望の量のワイプを取り出すことができる。引っ張り出されたワイプは、その後、通常はミシン目で切り離すことができ、蓋が閉められる。
【０００４】
ウェットワイプは、どのようなワイプ、タオル、ティシュー、又は天然繊維、合成繊維、合成材料及びそれらの組合せを含むシート状の製品であってもよく、濡れた又は湿った状態にあるか、又は、使用中又は使用前に濡らされる。ウェットワイプは、水と接触した場合に分散性のものもあれば、非分散性のものもある。ウェットワイプの実施例は、全て２０００年５月４日に提出された米国特許出願番号０９／５６４，４４９、０９／５６４，２１３、０９／５６５，１２５、０９／５６４，８３７、０９／５６４，９３９、０９／５６４，５３１、０９／５６４，２６８、０９／５６４，４２４、０９／５６４，７８０、０９／５６４，２１２、０９／５６５，６２３、及び１９９８年１２月３１日に提出され、「イオン感応性硬水分散性ポリマー及びその適用」と題した米国特許出願番号０９／２２３，９９９に開示されており、これら米国特許出願は引用により本明細書に組み込まれる。ディスペンサーの実施形態は、２０００年９月１２日に提出され、「ウェットワイプ」と題された米国特許出願番号０９／６５９，３０７に記載されており、該米国特許出願は引用により本明細書組み込まれる。
【０００５】
（発明の開示）
複数のウェットワイプ、特にミシン目入りのロールの取り出しは、特定の取り出し特性が存在する場合によりうまく機能する。例えば、これは、少なくとも一部には複数のワイプの物理的特性によるものである。別の例として、これは、少なくとも一部には、ワイプが取り出されるディスペンサーの容器及びその特性によるものである。
複数のワイプの取り出しを向上させる要望に答えて、例えば、特定の取り出し特性が見出され、定量化された。本発明の目的及び特徴は、以下の説明で述べられており、この説明から明らかになると共に、本発明を実施することによっても知ることができるであろう。本発明の更なる特徴は、本明細書に記載された説明及び特許請求の範囲において特に指摘された製品及び方法により、並びに添付の図面から理解でき、知得できるであろう。
【０００６】
本発明の一態様では、ミシン目切り離し力特性を有する、複数のミシン目入りワイプを取り出すシステムが提供される。このシステムは、取り出し力特性を有し、複数のミシン目入りワイプをその中に保持するように構成された密封可能なチャンバを含むディスペンサーを含む。取り出し開口は、このチャンバと連通し、該開口は、この開口を通して複数のミシン目入りワイプからワイプをディスペンサーの外へ取り出すようになっている。ワイパーブレードは、この開口を通してワイプが取り出される時、ワイプの少なくとも一部分に係合するようにディスペンサー内に配置される。そしてワイプが取り出される時の、ミシン目切り離し力特性と取り出し力特性との比は、１：１より大きい。
【０００７】
本発明の別の態様では、ミシン目切り離し力特性を有する、複数のミシン目入りワイプを取り出すシステムが提供される。このシステムは、取り出し力特性を有し、複数のミシン目入りワイプをその中に保持するように構成された密封可能なチャンバを含むディスペンサーを含む。取り出し開口は、このチャンバと連通し、該開口は、この開口を通して複数のミシン目入りワイプからワイプをディスペンサーの外へ取り出すようになっている。ワイパーブレードは、この開口を通してワイプが取り出される時、ワイプの少なくとも一部分に係合するようにディスペンサー内に配置される。ワイプが取り出される時の、取り出し力特性は、０ｇ／ｃｍより大きく、且つ約７５ｇ／ｃｍより小さい。
【０００８】
本発明の更に別の態様では、ワイプのロールを取り出すシステムが提供される。このシステムは、ミシン目切り離し力特性を有するミシン目入りワイプのロールを含む。このシステムは、取り出し力特性を有し、密封可能なチャンバを備えるディスペンサーを更に含む。このミシン目入りのワイプのロールは、該チャンバ内に保持される。取り出し開口は、このチャンバと連絡しており、該開口は、開口を通してミシン目入りワイプのロールからワイプをディスペンサーの外へ取り出すようになっている。弾性ワイパーブレードは、開口を通してワイプが取り出される時、ワイプの少なくとも一部分に係合するようにディスペンサー内に配置される。ワイプの取り出し中に、ミシン目切り離し力特性と取り出し力特性との比は、１：１より大きい。
【０００９】
本発明の更に別の態様では、取り出しシステムで使用するワイプのロールが提供される。このワイプのロールは、ミシン目切り離し力特性を有するミシン目入りワイプのロールを含む。ミシン目切り離し力特性は、５５ｇ／ｃｍより大きい。
本発明の更に別の態様では、ワイプ及びディスペンサーの特性に関する、及びディスペンサーの特定の構造に関する、望ましい範囲及び更に望ましい範囲が示される。
【００１０】
前述の一般的な説明及び以下の詳細な説明は、共に例示的なものであり、本発明の請求項の更なる説明を提供することを意図していることを理解されたい。本明細書に組み込まれ、本明細書の一部を構成する添付の図面は、本発明のワイプを図示し、更なる理解を提供するために含まれている。説明と共に、図面は本発明の様々な態様を説明するのに役立つ。
本発明の以下の詳細な説明と添付の図面を参照すると、本発明はより完全に理解され、更なる特徴が明らかになるであろう。図面は、単に典型的なものに過ぎず、請求の範囲を限定するものではない。図面に示された同様の部品は、同じ参照番号で参照される。
【００１１】
（発明を実施するための最良の形態）
ワイプを取出し提供するためのシステム及び方法が提供されるが、それは一般に、ハウジング、カバー、及び複数のウェットワイプを有するカートリッジを有するものである。複数のウェットワイプがハウジング内に配置された後、ワイプはディスペンサーから取り出される。
一般に、別の表面にウェットワイプディスペンサーを取付けるための装置が設けられている。その表面は、例えば、バスルームの壁、キッチンの壁、又はバスルームの化粧台の壁とすることができる。この装置は、ここに図示され、説明されている様々なディスペンサーのような、ほとんどどの種類のウェットワイプディスペンサーにも使用でき、又は使用するように適合させることができる。この装置は、従来のバスティシューホルダーと関連して機能し、ディスペンサーをしっかりと、しかし取り外し可能に壁に取り付けられるように、理想的に適合されている。従来のバスティシューホルダーは、通常家庭にある種類のものである。このようなホルダーは、壁から突き出したポスト、及びポスト間に配置されているロッド又はローラーを有する。またこれらのホルダーは、一部を壁に埋め込むこともできる。このようなホルダー、及び取付け組立体が係合した状態のホルダーは、図２７に図示されている。この装置は、従来のバスティシューホルダーがなくても使用することができ、ディスペンサーが壁に固定されるようにすることができる。
【００１２】
例えば、このシステムは、壁、キャビネット、現存のバス用ティシューディスペンサー、トイレ、トイレのタンク、ストールの壁、又は自動車のダッシュボードなどの表面に取付けることができるハウジングを持つディスペンサーを有するものとすることができる。ディスペンサーは、ウェットワイプを収納しているカートリッジを保持する開口を有する。これらのカートリッジは密封されている。そして使用者は、カートリッジの１つを開封して、ディスペンサーに入れ、必要に応じてワイプを使用することができる。ワイプを使い終わった時には、使用者は単に古いカートリッジを捨て、新しいものと交換するか、又は古いカートリッジを再使用し、ウェットワイプの新しいロールを単に供給してもよい。
【００１３】
本発明は、ウェットワイプ及びワイプ用の容器を向上させること、例えば、ウェットワイプのロール又は積重ねたウェットワイプ、及びこれの取り出しに関する。図全体にわたり、代表的に示されたように、ここで説明のために、図１から図５までを全て参照すると、ハウジング２、トレー３、カバー７、及び取付け組立体８を有するディスペンサー１が設けられている。トレー及びカバーは、間隙４を形成し、この間隙にウェットワイプを通すことができる。間隙を通して延びるワイプの部分は、末端部と呼ばれることがある。トレー及びカバーは、指を掛けるところ、即ち使用者がウェットワイプを掴みディスペンサーから引張り出すことができる箇所となる窪みを形成している凹部５をさらに有する。任意選択的であるが、このディスペンサーには又、乾燥ティシュー即ち従来のバスティシューなどの１ロールの別の製品を取付け、且つ取出すためのローラー６も装備されている。
【００１４】
一般に、ここで説明されるディスペンサーシステムは、従来の乾操トイレットティシュー又は乾燥バスティシューと共に、又はそれらなしでも使用することができる。従来のティシューがウェットワイプと共に使用される場合には、ウェットティシューの上、又は下に並べて配置することができるであろう。
図１及び図４から図４Ｂは全て、カバーを閉じたディスペンサーを示す。図４及び図４Ｂでは、ディスペンサーは一般に、上部１００、側部１０１、側部１０２、後部１０３、底部１０４及び前部１０５を有することが最も容易に理解できる。図２は、分解図でディスペンサー及びカートリッジを示す。図３は、組立てられ、且つ完全に開いた状態のディスペンサーを示す。
【００１５】
ハウジングは、プラスチック、木材、セラミック、磁器、ガラス、紙、金属、熱可塑性エラストマー、又は複合材料などの任意の適切な材料から作ることができる。例えば、ポリプロピレン、ポリブチレンテレフタレート（Ｐｂｔ）などのポリエステル系樹脂、ガラス充填Ｐｂｔ、１５％ガラス充填Ｐｂｔ、ガラス繊維、炭素繊維、及びアクリロニトリル‐ブタジエン−スチレン（ＡＢＳ）を使用してハウジングを作ることができる。
【００１６】
ハウジングは、様々な形状と寸法をとることができる。ディスペンサーが家庭用に意図される場合は、従来のバスティシューローラーマウントと類似の寸法であることが望ましい。ディスペンサーは、家庭用にはできるだけコンパクトであることが特に望ましい。更にカバーは、幅が約４−１／２インチ（１１４．３ｍｍ）から６−７／８インチ（１７４．６ｍｍ）の範囲にあれば、現存の家にあるほとんど大部分のトイレットペーパーホルダーと美的に調和し、又はそれらに取付けることができる。カバーの幅は、約３インチ（７６．２ｍｍ）より大きく、約６インチ（１５２．４ｍｍ）より小さく、約７インチ（１７７．８ｍｍ）より小さく、約８インチ（２０３．２ｍｍ）より小さいものとすることが好ましい。４−１／２インチ（１１４．３ｍｍ）×６−７／８インチ（１７４．６ｍｍ）の寸法では、１つの寸法のディスペンサーで、家庭での大部分の用途に使用することができるという更なる利点がもたらされる。小さいバスルームなど、特定の用途又は美的理由から、より小さい寸法が望ましい場合がある。ディスペンサー及びその構成要素は、磁器のバス設備で見られるアーモンド及び白などの様々な色を有してもよく、又は他の任意の望ましい色を有してもよい。ハウジングが産業用、又は公共の建物用に、又は商業用の用途で使用される場合は、ハウジングを十分に大きくし、ウェットワイプ及び乾燥ワイプのいずれか、又は両方、及びティシューを更に何ロールか十分に保持できることが望ましい。
【００１７】
ハウジングは、従来の壁取付け型トイレットペーパーホルダーの上へ、又は中へ取付けることができるように、図１に示される形状に構成することができる。それは、取付け穴３０を通して例えばスクリュで、又は接着剤、釘、スクリュ、リベット、磁石アタッチメント、ステープル、係合ブラケット及びトイレットティシュー用の従来の壁用マウントの側面への圧力取付け具など、壁又は表面へハウジングを固定する他の手段で壁に直接取付けることもできる。ハウジングは又、カバー上のタブ１２に係合してカバーを閉じた状態に保つが、しかし容易にディスペンサーを開ける方法を提供するロック１３を有してもよい。又、他の様々な方法を用いて、ハウジングにカバーを留め又は固定することもできる。例えば、商業用の用途又は小さい子供がいる家では、鍵穴と鍵による手法が望ましいであろう。
【００１８】
又、ハウジングは、カバーマウント２９を受けるように作られた開口１４を有してもよい。開口１４及びカバーマウント２９は、更に、従来のトイレットティシューローラーを受けるよう構成することができる。ハウジングは、更に、ワイプ、又はトイレットティシューなどの、他の製品を取出し、保管し、収納し又は取付ける手段を支持するよう構成することができる。例えば、ハウジングはまた、ハウジング内側のワイプと同じ又は異なる組成を有するウェットワイプの容器を支持することができる棚を支持することができる。ハウジングは、トレー３のピン２７を受けるための開口２８を更に有してもよい。
【００１９】
カバー７は、ハウジングと類似の任意の材料で作ることができ、ハウジングと同じ材料であっても、又は異なる材料であってもよい。カバーは、透明であっても、又はディスペンサーに残っているウェットワイプの量を見るための窓を有してもよい。しかし、カートリッジがディスペンサーに挿入されカバーが閉じられた時に、カートリッジの上部となるカバーは、ウェットワイプと直接接触するため、木材その他の細菌の繁殖を維持するどのような材料も、好ましくないであろう。ウェットワイプと接触している全ての材料は、細菌の繁殖を抑制し、又は維持しない材料から作られることが好ましい。
【００２０】
更に、抗菌剤、医薬用、植物性、又は皮膚及び衛生用の試剤を、ディスペンサーハウジング、トレイ、ワイパーブレード、ワイパー組立体、カートリッジ、カバー及びガスケットなどを例として含む、ディスペンサーシステムの構成要素を構成するのに使用する材料に加えることができる。特に、ウェットワイプと接触しているか又は関連しているどの構成要素にも、このような試剤を添加することができる。
【００２１】
カバーはカートリッジ１１と協働してウェットワイプからの水分損失に対する障壁を形成するように設計される。カバーは、また、ディスペンサーシステムの他の構成要素と協働して水分障壁を形成するように設計することができる。ディスペンサーは、少なくとも１日間、少なくとも２日間、少なくとも５日間、少なくとも１４日間、及び好ましくは１４日間より長く、７３°Ｆ（２２．８℃）及び相対湿度５０％の室内状態において完全に閉じられた時に、ウェットワイプを湿った状態に維持することができる。ディスペンサーは、完全に閉じられた時に、１４日間、７３°Ｆ（２２．８℃）及び相対湿度５０％で、少なくとも約１５％、少なくとも約２０％、少なくとも約２５％、少なくとも約５０％、少なくとも約６５％、少なくとも約９５％の水分を維持することができる。これらの水分保持値は、１．５インチ（３８．１ｍｍ）より大きくない長さだけ、ワイプの末端部が間隙を通して突き出した状態で得ることができる。
【００２２】
カバーは更に、カートリッジ１１又はディスペンサーシステムの他の構成要素と協働して、ディスペンサー内のワイプの汚染に対する障壁を形成するように設計することができる。即ち、カートリッジ又はディスペンサーシステムの他の構成要素と協働しているカバーは、汚物、埃、カビの胞子、及び細菌に対する障壁を形成することができる。
前側カバーの内側表面と、カートリッジのリップの表面との間の間隙は、約２ｍｍから約１０ｍｍまでの間とすることができる。このようにして、開いたカートリッジの上部に、その開口を少なくとも部分的に覆うドームが形成されるが、このドームは、カートリッジのリップの上部に、約１５ｍｍより少なく、約１０ｍｍより少なく、約５ｍｍより少ない位置にあることが好ましく、約２ｍｍより少ない位置にあることが理想的である。ドームの高さはウェットワイプの完全な１ロールの表面から測定することもでき、この場合には、更に２ｍｍから７ｍｍをドームの高さに加えればよい。より高いドームを使用することもできるが、このようなより高いドームは美的にあまり好ましくなく、ウェットワイプからの蒸発又は水分損失の量が多くなる。
【００２３】
カバーは、内側リム３３（例えば、図３参照）、及びワイパーまたはワイパー組立体１０（例えば、図２、図３参照）を備えることができる。カバーの内側リム及びワイパーは、カートリッジのリップ３１と協働する。カバーが閉じられた時、この内側リムはカートリッジのリップに押し付けられ、ワイパーは、ガイドを含むトレー、並びにカートリッジのリップに同様に押し付けられる。別の実施形態では、協働を容易にするために、カバーにリップを備え、カートリッジにリムを備えることができる。
【００２４】
ワイパー１０が配置されるカバーの内側と、トレーとの間の距離は、ワイパーブレードの高さより小さくすることができる。即ち、この形状では、ワイパーブレードは、ワイパーの位置に応じて、リップ、トレー又はガイド１６、或いはそれら全てに対して圧縮状態に置かれる。このとき、ワイパーブレードは、少なくともウェットワイプの一部分に圧力を加える。ワイパーブレードは、ウェットワイプと当接しても、ウェットワイプに圧力を加えないように配置することもでき、又はウェットワイプの上の近傍にあるように配置することもできる。ワイパーブレードがウェットワイプに加える圧力の量は、ワイパーの用途、ワイパーブレードが作られている材料、ウェットワイプが作られている材料、及びカートリッジリップ３１が作られている材料を含む、幾つかの要因に応じて変化し得る。更に、ワイパー又はワイパー組立体、及びワイパーブレードは、別個の部品とすることができ、別個の部品から共に連結され一体化するか、又は一又はそれ以上のワイパーの特徴を有する１つの部品として一体化して形成することができる。
【００２５】
トレー３は、ハウジング又はカバーと類似の任意の材料から作ることができ、それらの構成要素と同じ材料であっても、又は異なる材料であってもよい。トレーは、側壁２２、２３、８０及び８１を有する。壁２２及び２３は、ディスペンサーの側部に対応し、壁８０はディスペンサーの上部に対応し、壁８１はディスペンサーの底部に対応する。図中に示されているトレーは、後部の壁がないが、必要に応じて備えることができる。側壁は、凹部２４、２５、及び２６を備えることができる。これらの凹部は、カートリッジ上の凸部１９、２０及び２１と協働する（１９は２６と、２０は２４と、２１は２５と）。このように、カートリッジはしっかりと、しかし容易に取り外しできるようにディスペンサー中に保持される。カートリッジが容易にディスペンサーの中へ、及びディスペンサーから外へ摺動させられるように、トレー開口１５は、カートリッジに合わせた大きさに作られる（或いは、カートリッジがトレー開口に合わせた大きさに作られる）。
【００２６】
図２及び２Ａを参照すると、例えば、ハウジングは、ガイド１６を更に有してもよい。ガイドは移動可能としても、固定されてもよい。ガイドは、隆起した表面１６ａと低くなった表面１６ｂを有してもよい。これらのガイドは、ハウジングと同じ種類の材料から作ることができる。それらは、ハウジングと一体化していてもよい。ガイド及びハウジングは，１つの連続したプラスチック要素とすることができる。ガイドは、ワイパーと協働して、ワイプが引張り出され引き剥がされる際にワイプがディスペンサーの一方の側部に滑落する傾向を防止し、又は減少させるように設計することができる。ガイドは、ワイパーと協働してウェットワイプとディスペンサーとの間の抗力の量を調整及び制御することもできる。
【００２７】
カートリッジは、プラスチックなど、任意の適切な材料で作ることができる。カートリッジは、軽量、安価で、使い捨て可能、且つリサイクル可能な材料から作られることが好ましい。カートリッジは、側壁１７、１８、３９、及び４０、と底壁４１を有する。カートリッジは、カートリッジの上部で開口を形成しているリップ３１を有する。カートリッジは、ディスペンサーに嵌合し、又はディスペンサーと協働すれば、どのような形状又は寸法であってもよい。例えば、家庭用として実用的なカートリッジは、１０５ｍｍより小さい側壁１７及び１８及び１３４ｍｍより小さい側壁３９及び４０を有するものである。凸部１９、２０及び２１の代わりに、カートリッジはこれらの位置に凹部を有することができ、トレーは、これに対応する凸部を有することができる。
【００２８】
ウェットワイプ用の容器は又、可撓性とすることもできる。プラスチック、金属箔、ボール紙、又はそれらの組合せで作られる可撓性のパッケージを、包装体中のワイプを密封するのに使用してもよく、又は除去可能なカバーの付いたポーチとして構成してもよい。ウェットワイプからの水分の損失を防ぐ任意の材料及び構成を使用してワイプを包装することができる。除去可能なカバーは、ワイプの取出しを容易にする除去可能なストリップを収容することができる。前記カバーは又、カバー内側リム及びワイパーと協働するリップを収容することができる。ワイプと容器の組合わせは、トレー内に嵌合するようにカートリッジと同じか又はカートリッジより小さい寸法とする。
【００２９】
図６は、閉じた状態のディスペンサーを示すもので、ウェットワイプ３６の末端部が、間隙４から凹部５により形成された指掛け用窪みへ突き出る。使用に際し、ウェットワイプの末端部が掴まれ、通常矢印３５の方向に引張られてロールが巻き解かれ、ワイプはディスペンサーから取出される。使用に際し、ウェットワイプは又、接線方向の、及び矢印３５の方向に垂直な力を受ける。これらの力が生じる場合、ガイド及びワイパーは、ワイプが間隙の一方の側部に向けて滑り、束になったり又は拘束状態になることを防止するのに役立つ。
図７は、ディスペンサー、カートリッジ、ワイプのロール３４の分解組立図であり、これらの構成要素の関係を示している。
【００３０】
図８は、間隙４を通って延びるワイプの末端部３６を有する１ロールのワイプ３４を示し、更にロールの軸を３７と定義している。このディスペンサーで実用的な、又は取出しシステムの一部として実用的な積重ね又はロールは、数インチ（又はｃｍ）という小さいものから、４５０インチ（１１．４３ｍ）より大きく、６００インチ（１５．２４ｍ）より大きく、１０００インチ（２５．４０ｍ）より大きいウェットワイプを含むことができる。この積重ね又はロールは、任意の数のシートをもつことができるウェブ材を有するものであってもよい。通常、シートはミシン目によって分離され、このミシン目は、シートをウェブから容易に切り離すことを可能にするが、ウェブがディスペンサーから引張られている間に分離しないほど十分な強度がある。家庭用として特に実用的なロールの実施例は、直径が約２インチ（５０．８ｍｍ）から約３インチ（７６．２ｍｍ）、約５−１／２インチ（１３９．７ｍｍ）より小さく、直径が約３インチ（７６．２ｍｍ）であることが好ましく、約２−７／８インチ（７３．０ｍｍ）であれば更に好ましい。このロールは、ワイプが約４００インチ（１０．１６ｍ）から、約１０００インチ（２５．４０ｍ）である。限定的ではないが、各シートの長さは、約３インチ（７６．２ｍｍ）から約１０インチ（２５４．０ｍｍ）とすることができ、約４．５インチ（１１４．３ｍｍ）であることが好ましい。このロールは更に、密度が約０．３ｇ／ｃｃから約１ｇ／ｃｃ、約０．５ｇ／ｃｃから約１ｇ／ｃｃであり、約０．６２ｇ／ｃｃであることが好ましい。ロールの特定の実施例は、直径が約２インチ（５０．８ｍｍ）であり、約４５０インチ（１１．４３ｍ）のワイプを含むものとすることができる。ロールの別の特定の実施例は、直径が約３インチ（７６．２ｍｍ）であり、約４５０インチ（１１．４３ｍ）のワイプを含むものとすることができる。
【００３１】
ディスペンサーシステムで使用するのに好ましいウェットワイプの形態は、図８に示されるように、中実の芯無しロールである。しかし、有芯ロール（中空の芯、中実の芯、及び部分的に中実の芯）、中空芯無しロール、及び積重ねたシートも又、ディスペンサーシステムで使用することができることを理解されたい。本明細書で、密度値について述べる場合、それはロールの密度に関するものであり、これは芯無し中空ロールの全ての空隙又は有芯ロールの芯が占めるスペースを除外するものである。
様々な試験及び物理的特性の観察結果が表Ｉ、ＩＩ、ＩＩＩ、ＩＶ、Ｖ及びＶＩに報告されている。
溶液追加レベルは、溶液の重量を乾燥ワイプの重量で割り、１００を掛けてパーセント値にしたものである。
【００３２】
ベースシート換算は、ロール及びロール中のシートの幅、即ちロールの軸３７に沿った幅をインチで表したものを言う。
ミシン目は、切れ目の大きさ及びロール中のシートを分離するミシン目の切れ目間の距離のことを言う。この測定には３つのパラメータ、即ち、切れ目の長さ、結合長さ、及び結合間隔がある。結合間隔は、切れ目の長さと結合長さとの和に等しい。例として、ウェットワイプで実用的なミシン目は、結合長さが０．０２インチ（０．５１ｍｍ）、切れ目の長さが０．０５インチ（１．２７ｍｍ）、及び結合間隔が０．０７インチ（１．７８ｍｍ）のもの、又は結合長さが０．０４インチ（１．０２ｍｍ）、切れ目の長さが０．０９インチ（２．２９ｍｍ）、及び結合間隔が０．１３インチ（３．３０ｍｍ）のものがある。
【００３３】
乾燥坪量は、ワイプに溶液が加えられる前の、即ちワイプが濡れる前のワイプの坪量である。
濡れ厚さは、ウェットワイプの、即ち、ワイプに溶液が加えられた後の厚さをｍｍで表わしたものである。
シート総数は、ロール中のシートの数、即ちミシン目によって作り出されるシートの数である。
試験は全てＴＡＰＰＩ標準試験条件下で行われるが、ウェットワイプはこれらの条件に平衡化されてはいない。代わりに、ワイプは、密封容器又はカートリッジから取り出され、開封後数分以内に、一般に５〜１０分未満で試験を行う。これには、ウェットワイプが空気に曝される場合のこのような時間における変動が約５分あるが、試験の結果を実質的に、又は顕著に変化させるものではない。
【００３４】
以下の変更、即ちサンプルの寸法が１＋／−０．０４インチ（２５．４＋／−１．０ｍｍ）幅、及び４．２５＋／−０．０４インチ（１０８．０＋／−１．０ｍｍ）の長さであり、初期ゲージ長さが３＋／−０．０４インチ（７６．２＋／−１．０ｍｍ）であり、試験速度は１２インチ／分（３０５．０ｍｍ／分）の変更を行って、ＡＳＴＭ１１１７−８０、第７節に従い、ウェット製品について、引張値、伸長値、及びＴＥＡ（総吸収エネルギー）値が得られた。
【００３５】
ＭＤ引張値は、機械方向で測定される時の、サンプルの幅１インチ当りの破壊前のピーク荷重である。ＣＤ引張値は、横方向で測定される時の、サンプルの幅１インチ当りの破壊前のピーク荷重である。ＭＤ伸長値は、ワイプがピーク荷重で機械方向に有する伸び率である。ＣＤ伸長値は、ピーク荷重における機械横方向のワイプの伸び率である。総吸収エネルギー（ＴＥＡ）は、開始点から破壊点までの力‐伸び曲線（それぞれポンド、及びフィートの単位で表わす）下の面積を、上方グリップと下方グリップとの間のサンプルの初期表面積で割ったものである。これらのサンプルに対し、この表面積は３平方インチ（１９．４ｃｍ２）であった。各コードに対して１０枚の試料が試験され、その平均値が計算され、報告された。該試験は、ＴｅｓｔＷｏｒｋｓ３．１０ソフトウェアを有するＭＴＳ　Ｓｉｎｔｅｃｈ　１／Ｇ試験機などの標準引張試験機で行われた。Ｓｉｎｔｅｃｈ試験機、及びＴｅｓｔＷｏｒｋｓソフトウェアは、共にミネソタ州エデンプレーリー、テクノロジー通り１４００所在のＭＴＳ　Ｃｏｒｐｏｒａｔｉｏｎから入手可能である。
【００３６】
分離は、ミシン目を破るのに必要なシート当りの力をグラム（ｇ）で表わしたもの、即ちミシン目に沿ってロール中の２枚のシートを分離させるのに必要な力の量を言う。これらの特性は、ＴｅｓｔＷｏｒｋｓ３．１０ソフトウェアを有するＭＴＳ　Ｓｉｎｔｅｃｈ　１／Ｇ試験機を用いて測定された。２枚のシートがロールから取り外された。シートは幅が４．２５インチ（１０８．０ｍｍ）であり、且つ幅に沿ってミシン目で連結されていた。シートは、サンプルの幅が２−１／８インチ（５４．０ｍｍ）となるように長さに沿って半分に折り畳まれた。ミシン目の線が上方グリップと下方グリップの間の中央に位置するように、実質的に幅全体に沿ったサンプルの最上部及び最下部は、内部間隔が２インチ（５０．８ｍｍ）のグリップに配置された。次いで上方グリップは、サンプルがミシン目に沿って破断するまで、１０インチ／分（２５４．０ｍｍ／分）の速度で上方へ（即ち、下方グリップから離れる方へ）移動された。この試験を通じて、加えられた力及びサンプルの伸長値が測定された。分離強度がグラム／シートの単位で力として表わされるように、力−伸長曲線から得られるピーク荷重が記録される。１０枚のサンプルから得られる平均の結果は表Ｉ及びＩＩに報告され、３又は４枚のサンプルから得られる平均の結果は表ＩＶ、Ｖ及びＶＩ報告される。
【００３７】
ピーク荷重における歪率（「％歪＠ピーク荷重」）が上記の試験の結果から求められた。ピーク荷重における伸長値を初期サンプル長さの２インチ（５０．８ｍｍ）で割ると、その結果が、％歪＠ピーク荷重を表わす。１０枚のサンプルから得られる平均の結果が報告される。
【００３８】
濡れ厚さは、サンプルが特定の荷重又は重量を受ける間に測定されるワイプの厚さのことを言う。ウェットワイプの濡れ厚さ、及び濡れる前のワイプの厚さは、表ＩＩに報告されている。これらの値は、個々に０．０５ポンド／平方インチ（ｐｓｉ）（３４５Ｐａ）の制限荷重下に置かれた３×４インチ（７６×１０２ｍｍ）の寸法のサンプルを基にしている。試験されたサンプルの部位には、皺や折り目は無かった。郵便番号０１３３１、マサチューセッツ州アソール、クレッセント通り１２１所在のＳｔａｒｒｅｔから入手可能であるＳｔａｒｒｅｔ　Ｃｏｍｐａｒａｔｏｒ　Ｂａｓｅ　Ｍｏｄｅｌ　６５３Ｇを使用してこれらの試験を行った。この機械のベースは、精密土台であり平らになっている（＋／−０．００１インチ、＋／−０．００２５ｍｍの公差）。デジタル変位インジケータ（ソニ−モデルＵ３０−１ＳＥＴ）は、垂直シャフトで支持された片持ちの水平制御アームにより、ベースに付けられた。インジケータは、コンパレータベースに対する垂直変位を０．００１インチ（０．００２５ｍｍ）まで測定する。コンパレータベースへ下降する垂直移動軸シャフトに取付けられたアクリル製の接触部により荷重が加えられた。この接触部は、直径が３．００インチ（７６．２ｍｍ）、高さが０．６３インチ（１６．０ｍｍ）であり、下方の表面が＋／−０．００１インチ（＋／−０．００２５ｍｍ）までの公差で平坦である。接触部、軸、及び関連のハードウェアの重量は、インジケータの接触力ばね（ｃｏｎｔａｃｔ　ｆｏｒｃｅ　ｓｐｒｉｎｇ）を含まずに、１６０．５＋／−０．１ｇである。軸シャフトは、０．５秒から０．７５秒の移動時間でコンパレータベースへ下降する。０．０５ｐｓｉ（３４５Ｐａ）の荷重圧力が３秒間加えられた直後に、厚さは、コンパレータベースの表面に対するワイプの高さとして、インジケータで測定された。試験前の校正は、アメリカ標準局に由来する１組の標準サンプルで行われた。例として、及び限定ではないが、本発明の取出しシステムで実用的なウェットワイプは、乾燥坪量が約１０ｇｓｍから約２００ｇｓｍ、乾燥厚さが約０．５ｍｍから約２ｍｍ、濡れ（即ち、溶液又は濡れ物質を添加したワイプ）厚さが約０．３ｍｍから約０．７ｍｍ、ＭＤ濡れ引張値が少なくとも約２５０ｇ／インチ（９．８ｇ／ｍｍ）、ＣＤ濡れ引張値が少なくとも約２００ｇ／インチ（７．９ｇ／ｍｍ）、ＭＤ濡れ伸張値が約５％から約３０％、ＣＤ濡れ伸張値が約５％から約３６％、ＴＥＡ　ＭＤ濡れ強さが約０．５から２フィート‐ポンド／平方インチ（０．１０から０．４Ｊ／ｃｍ２）、ＴＥＡ　ＣＤ濡れ強さが約０．５から２フィート‐ポンド／平方インチ（０．１０から０．４Ｊ／ｃｍ２）、及び溶液追加が約１００〜６００％、好ましくは約１５０〜３５０％とすることができる。液体追加量を求めるために、まず製造されたばかりの乾燥ワイプの重量が測定される。次いで、製造されたばかりの乾燥ワイプの重量に等しい重量分の液体、又は製造されたばかりの乾燥ワイプの重量を基準に追加率として測定された増加量の液体をワイプに加えて湿り気を与え、そしてそれが「ウェットワイプ」として知られている。
【００３９】
切り離し力は、ウェットワイプのロールを巻き解くのに必要な力の量をグラム／４．２５インチ（ｇ／１０８．０ｍｍ）の単位で、即ち４．２５インチ（１０８．０ｍｍ）幅のロールを巻き解くのに必要なグラムとして測定する。従って、これらの値は標準化されて、グラム／インチのロール幅基準で任意の幅のロールに適用されることができる。表ＩＩに報告されるように、切り離し力は、ロールが開いたカートリッジにある時にロールを巻き解くのに必要な力であり、ＴｅｓｔＷｏｒｋｓ３．１０ソフトウェアを有するＭＴＳ　Ｓｉｎｔｅｃｈ　１／Ｇ試験機を用いて測定された。ロールの末端部がロールから巻き解かれる時に、末端部が垂直な状態を維持するように、ゴム表面を有する４．５インチ（１１４．３ｍｍ）幅のクランプで、ロールをクランプの真下に配置した状態でロールの末端部を掴んだ。クランプはクロスヘッドに取付けられ、クロスヘッドは１００ｃｍ／分の速度でティシューウェブを上方へ引張った。切り離し力は５０ニュートン荷重のセルで測定した。それぞれ４枚のシートが分離される２回の実験と、それぞれ５枚のシートが分離される２回の実験とを平均することにより、ロールから１８から２０枚のシートを切り離す平均荷重が記録された。ロールから最初の１８から２０枚のシートだけを使用して表ＩＩの測定値を得た。
【００４０】
ディスペンサーからウェットワイプを引張る力をグラム力（ｇ）で測定した、取出し力もまた求めることができる。この力は、ＴｅｓｔＷｏｒｋｓ３．１０ソフトウェアを装備したＭＴＳ　Ｓｉｎｔｅｃｈ　１／Ｇ試験機を用いて測定することができる。図３４及び３５を参照すると、このようなＳｉｎｔｅｃｈ試験機２９０及びワイプ３４を付けたディスペンサー１が、代表的に断面図で示されている。図３４では、ディスペンサーは、クランプ２９２の下で水平方向で、プラットホーム２９４の所定位置に固定されている。クランプ２９２の方向に対するディスペンサーの相対的な方向は、使用時にワイプがディスペンサーから取り出される方法と同様にしている。クランプ２９２は、ディスペンサーの中に配置されたウェットワイプ３４のロールの末端部３６の幅全体をしっかり掴むゴム表面を有している。表ＩＶ、Ｖ及びＶＩのサンプルでは、クランプとディスペンサーの間隙との間の最初の距離２９３は、約８インチ（３０４．８ｍｍ）であり、クランプ２９２の中央から取り出し用間隙までの距離２９５は、約６インチ（１５０ｍｍ）であり、クランプと間隙との間のワイプを取り出す対角軌跡に沿った距離２９７は、約１０インチ（２５０ｍｍ）となる。クランプは、クロスヘッド２９６に取り付けられ、図３５に見られるように、クロスヘッドは、ロールを２９８の方向に１００ｃｍ／分の速度で最終位置まで上方へ引張る。実験の開始から終わりまで、ワイプを取り出す間の角度２９９は、約５０°から約８０度までの角度範囲でなければならないが、試験に使用される実際のディスペンサーの構造的特徴に応じて、サンプルのディスペンサーに対してこれらの条件を模擬するように容易に変化させなければならない場合もある。寸法２９３，２９５及び２９７と比較した角度２９９に関して、制御するのは角度であって、特定の寸法ではなく、むしろこの取り出し力試験に従ったワイプの取り出しに対し、５０°から８０°までの所望の角度範囲をなお達成するであろう任意の比例関係にある寸法である。試験用にワイプを取り出す場合、ディスペンサーは、試験用クランプが上る時、ディスペンサーの両側面により形成される平行な平面間でディスペンサーからワイプを引っ張り出すように、試験用クランプと一列に並べられなければならない。これにより、ワイプは、他方の側面よりも一方の側面へより偏らないように、両側面間でかなり均一にディスペンサーから取り出されることになる。引張り力は、５０ニュートン荷重のセルで測定する。各実験で、引張り力は、ロールから４枚から５枚のシートを切り離すための引張り距離曲線の関数として、ＴｅｓｔＷｏｒｋｓ３．１０ソフトウェアを使用して記録される。曲線を基に、各実験の平均引張り力が計算される。３回の実験の平均ピーク荷重を使用して、所定のロールの取出し力を表わす。ロールから最初の１２から１５枚のシートだけを使用して、即ち、各実験で４枚から５枚の新しいシートを使用して測定値を得た。
【００４１】
表Ｉは、ウェットシートの種類及びそれらの特性を表す。実施例Ｉでは、溶液は、十分な量の市販の（無塩）溶液、例えば市販品として入手できるキンバリー‐クラーク社製のＫＬＥＥＮＥＸ（登録商標）ＣＯＴＴＯＮＥＬＬＥ（登録商標）水に流せるモイストワイプ製品で使用されているもの、であった。実施例ＩＩでは、溶液は、十分な量の４％の塩水溶液、例えば背景技術で前述したウェットワイプの用途の実施例で開示されたように、他の添加物を加えた単純な４％の塩水溶液であったが、これらは全て引用により本明細書に組み込まれる。
【００４２】
【表１】
表Ｉ
2004506455.tif 000003
【００４３】
表ＩＩは、使い捨てウェットワイプの特性を表わす追加のデータを記載している。この表は、ベースシートの交換及び溶液の変動が、ワイプの物理的特性に与える影響を示している。これらのシートを作るのに使用されるパルプは、Ｗｅｙｅｒｈａｕｓｅｒ　ＣＦ４０５であった。この実施例では、バインダは、シリアル番号０９／５６４，５３１の表１５、実施例コードＥであった。このバインダ材料は、分子量が６１０，０００であり、以下の重量パーセントで与えられる以下のモノマー、即ち、アクリル酸６０％、ブタクリル酸２４．５％、２−エチルヘキシル‐アクリル酸１０．５％、ＡＭＰＳ（２‐アクリルアミド‐２‐メチル‐１−プロパンスルホン酸）５％から作られた。
【００４４】
【表２】
表ＩＩ
2004506455.tif 000004
【００４５】
表ＩＩＩは、本明細書で述べられるウェットワイプを作るための教示に従って作られるウェットワイプのロールの物理的特性を述べている。表ＩＶ、Ｖ及びＶＩは、本明細書で述べられるウェットワイプを作るための教示に従って作られるウェットワイプのサンプルに対する、及び他社の市販の製品であるウェットワイプのサンプルに対するミシン目切り離し力データ、及び取り出し力データを述べているが、これらは全て本発明の範囲に含まれる。
【００４６】
【表３】
表ＩＩＩ−芯無しロール測定値及び計算値
2004506455.tif 000005
初期シート長さ＝５インチ
初期シート幅＝４．１２５インチ
ロール中のシート数＝９０
乾燥ベースシート坪量＝６５ｇｓｍ
目標溶液追加＝２２５％
計算ロール重量＝２５３グラム
巻取前の推定濡れ厚さ＝０．４８ｍｍ
圧縮率＝計算有効厚さ（巻かれた）／巻く前の推定濡れ厚さ
計算ロール密度＝重量／πｄ２／４×幅（計算ロール重量／π・測定した直径２／４・初期シート幅）
計算有効厚さ−巻き圧力を受けたロール中のシートの計算厚さ
【００４７】
【表４】
表ＩＶ
2004506455.tif 000006
（１）この製品は、３５デュロメータワイパーブレードで試験されなかった。
【００４８】
【表５】
表Ｖ
2004506455.tif 000007
【００４９】
【表６】
表ＶＩ
2004506455.tif 000008
（２）この製品は、デュロメータで５２度のワイパーブレードで試験されなかった。
（３）この製品はうまく取り出せず、もし取り出せても、シート半ばで又はシート間で引裂ける傾向があり、試験手順を通して複数のシートを連続的に取り出せなかった。
（４）この製品はうまく取り出せず、もし取り出せても、シート半ばで又はシート間で引裂ける傾向があり、試験手順を通して複数のシートを連続的に取り出せなかった。
【００５０】
表ＩＶ、Ｖ及びＶＩを参照すると、サンプルＡ及びＢは、本明細書で述べられるウェットワイプを作るための教示に従って作られたウェットワイプのロールであり、よって、湿らせた状態の分散性のウェットワイプに対して本明細書の表Ｉ、ＩＩ及びＩＩＩで述べられたウェットワイプの実施例と同様である。限定ではないが、特にサンプルＡは、以下の特性、即ち、乾燥坪量６７．６ｇｓｍ、乾燥坪量の２２５％の追加となる４％の塩溶液、ミシン目結合長さ０．０４０インチ、ミシン目の切れ目の長さ０．０９０インチ、濡れ厚さ０．３８ｍｍ、ＭＤ引張４４６ｇ／インチ、及びＣＤ引張３８７ｇ／インチをほぼ有していた。限定ではないが、特にサンプルＢは、以下の特性、即ち、乾燥坪量６３．７ｇｓｍ、乾燥坪量の２２５％の追加となる４％の塩溶液、ミシン目結合長さ０．０４０インチ、ミシン目の切れ目の長さ０．０９０インチ、濡れ厚さ０．３７ｍｍ、ＭＤ引張４７６ｇ／インチ、及びＣＤ引張４６２ｇ／インチをほぼ有していた。
【００５１】
サンプルＣ及びＤは、他社から市販されている製品である。サンプルＣは、米国カリフォルニア州プラセティア所在のＣｏｔｔｏｎ　Ｂｕｄｓ社から販売され、Ｍｏｉｓｔ　Ｍａｔｅｓ（商標）Ｍｏｉｓｔ　Ｔｏｉｌｅｔ　Ｔｉｓｓｕｅ　ｏｎ　ａ　Ｒｏｌｌとして知られており、テキサス州ダラスから２０００年８月頃に出願人によって入手された。サンプルＤは、Ｓｏｄａｌｃｏ　Ｓ．ｐ．Ａ．Ｃｏｒｓｉｃｏ（ミラノ）（ｗｗｗ．ｓｏｄａｌｃｏ．ｉｔ及びｗｗｗ． ｓｏｄａｌｃｏ．ｃｏｍ）により販売され、Ｆｒｅｓｈ＆Ｃｌｅａｎ（登録商標）ウェットトイレットペーパーとして知られており、イタリアから２０００年９月頃に出願人によって入手された。
【００５２】
サンプルＡからＤまでの全てのサンプルは、取り出し力を求めるため本明細書に記載された実験計画案に従い、ウェットワイプの取り出し用の、出願人のディスペンサーの試作品で試験された。ディスペンサーは、図１Ａから５までの全て、及び２０００年９月１２日に提出された米国特許出願番号０９／６５９，３０７号の、「ウェットワイプ」と題された本譲受人の先願の米国特許出願における明細書に見られるものと同様である。限定ではないが、特に、サンプルのウェットワイプがディスペンサー中に配置され、取り出すためにサンプルロールの末端部を間隙の外へ延ばした。ワイパーブレードは、それ自体では、その幅に沿った厚さが（即ち、フィンガー７５のいずれかの側で）約０．０６０インチであり、フィンガー７５における厚さは約０．１５０インチであった。ワイパー組立体及びブレードは、本明細書で図２４〜図２９に見られ且つ記載されているものと同様に構成された。ワイパーブレードは、ウェットワイプの幅を横切る方向で測定する時、ブレードのほとんどの位置で、間隙に位置しているウェットワイプと係合することが分かった。ワイパーブレードの幅は、全体的にウェットワイプの幅より大きく、米国イリノイ州マックヘンリー所在のＧＬＳ社により販売されるＤｙｎａＦｌｅｘ（商標）Ｇ２７５５として知られ、且つ米国コネチカット州グリーンウィッチ所在のＷｉｔｃｏ社により販売される、商品名Ｋｅｍａｍｉｄｅ（商標）ワックスで知られるようなエルカ酸アミドワックスを１／２％含む弾性材料で作られていたが、このワックスは使用中に表面にブルーミングし、取り出しているウェットワイプとワイパーブレードとの間の初期摩擦係数を低くする。硬さがデュロメータで３５度（ショアＡ）のワイパーブレードは、引張強度２８５ｐｓｉ、引裂強度５８ｐｌｉ、比重が０．９５ｇ／ｃｃ、及び圧縮永久歪２０％（室温のみ）を有した。硬さがデュロメータで５０（ショアＡ）のワイパーブレードは、引張強度４９０ｐｓｉ、引裂強度１２０ｐｌｉ、比重が１．１８ｇ／ｃｃ、及び圧縮永久歪２２％／４０％（室温／７０℃）を有した。硬さがデュロメータで５２（ショアＡ）のワイパーブレードは、引張強度６１５ｐｓｉ、引裂強度１２５ｐｌｉ、比重が０．８９ｇ／ｃｃ、及び圧縮永久歪２３％／３５％（室温／７０℃）を有した。
【００５３】
ディスペンサー及びワイパーブレードは、表ＩＶ、Ｖ及びＶＩでは、硬さ（各表の上部左側に記載されているように）を除く全ての点で同じであり、ワイパーブレードの各関連特性は、上記に列挙した。記載した試験用のワイパーブレードは、図９、１０、３４及び３５に見られるものと同様に配置されたカートリッジのほぼ反対側でディスペンサーの中に配置された。ワイパーブレードの正面の表面は、それ自体は、カートリッジの反対側の表面、例えば図１０の角度４３の頂点に最も近い下部リップ３１にほぼ平行であった。同様に、隆起部９６の最前面の表面（図９及び図１０）は、カートリッジのカバーにより形成される平面にほぼ隣接して配置され、ウェットワイプが隆起部９６とカートリッジの間を通った後、隆起部９６及びワイパーブレードとトレイ３との間でそれに隣接することができるように、リップ３１内で隆起部とカートリッジの内側との間に空隙を形成するであろう。本明細書で説明されるように、ワイパーブレードを含むワイパー組立体は、目的とする様々な取り出し特性に応じて様々な位置をとることができ、これはちょうど、試験が行われた時に使用されたものであった。
【００５４】
表ＩＶ、Ｖ及びＶＩに記録された関連性のある値を得るための試験は、一般に表ＩからＩＩＩに対して上述した試験手順及び実験計画案に従ってなされた。サンプルＡからＤは、各表で同じウェットワイプ製品である。これらの表では、「実切り離し力」は、前述の切り離しを測定するための手順に従って、間を強度の小さい線、例えばミシン目で連結された２枚のシートを分離するのに必要な力の測定値であり、シート当りの力をグラム（ｇ）として記録される。次いで、この値はシートの幅を基準にして標準化された、即ちシート当りの力をグラム（ｇ）で表わしたものをシートの幅で割り、「切り離し力特性」を求めたが、また本明細書では「ミシン目切り離し力特性」と互換的に呼ばれている。「実切り離し力」は、ウェットワイプ、即ち湿潤溶液を含むことができるベースシートの特性だけに応じて変わる測定値であり、決してウェットワイプ用のディスペンサーによって変わるものではない。「実取り出し力」は、前述の取り出し力を測定するための手順に従って、ウェットワイプのロールからディスペンサーの外へシートを取り出すのに必要な力の測定値であり、シート当りの力をグラム（ｇ）として記録される。次いで、この値はシートの幅を基準にして標準化された、即ちシート当りの力をグラム（ｇ）で表わしたものをシートの幅で割り、「取り出し力特性」を求めた。表の最後の列は、ミシン目切り離し力特性と取り出し力特性との比を示し、「切り離しと取り出しとの比」として表で認識される。
【００５５】
取り出し力は、本明細書ではまた「実取り出し力」と互換的に呼ばれるが、ミシン目を入れたワイプのロールに対する切り離し力より小さくなければならない。このようにすると、ミシン目を不注意に破ることなく、ワイプは確実にディスペンサーから引張られ、又は取り外されることができる。従って、ｇ／４．２５インチ（ｇ／１０８．０ｍｍ）に標準化された力では、取り出し力は、約１００ｇから約８００ｇであることが意図され、更に取り出し力は約１５０ｇから約４００ｇであることが意図され、理想的には取り出し力は３００ｇより小さいのが望ましい。標準化すると、これらの力は２３．５ｇ／インチ（０．９３ｇ／ｍｍ）から１８８．２ｇ／インチ（７４．１ｇ／ｍｍ）、３５．３ｇ／インチ（１．３９ｇ／ｍｍ）から９４．１ｇ／インチ（３７．１ｇ／ｍｍ）、及び７０．６ｇ／インチ（２７．８ｇ／ｍｍ）である。更に、取り出し力特性に対する次の範囲は、ディスペンサー、例えば、本明細書で開示されるディスペンサー並びに特定の点で類似となり得る他の任意のディスペンサーからのウェットワイプのロールの取り出し性を向上させる方向に有利にすることができ、好適さが増す順に、取り出し力特性は０ｇ／ｃｍより大きく且つ約７５ｇ／ｃｍより小さく、約６５ｇ／ｃｍより小さく、約５５ｇ／ｃｍより小さく、約４５ｇ／ｃｍより小さく、又は約３５ｇ／ｃｍより小さい。
【００５６】
取り出し力とは反対に、切り離し力は、本明細書ではまた「ミシン目切り離し力」又は「実切り離し力」と互換的に呼ばれるが、強度の小さい線、例えばミシン目でワイプのロールに対する取り出し力より大きくなければならない。このようにして、次のワイプがまだ完全にディスペンサーの内側にある間に、又は使用者が外部からディスペンサーに対し、２枚の隣接したワイプを切り離そうと望む前に、ミシン目を不注意に破くことなくワイプはより確実にディスペンサーから引張られ、又は取り出されることができるようになる。更に、他の取り出し特性を相補するため、特定の切り離し力又は力の範囲を選択することにより、より使いやすい（即ち、人間の子供から老人まで、必要に応じて隣接するワイプから切り離すことができる）力、及び／又は、製造しやすい（即ち、原材料間の変化の可能性という点で融通性がある）力を選択することができるが、本明細書で教示されるように、取り出すシステムを向上させるようにこれらを全て個別に及び集合的に調和させ、適合させることができる。従って、少なくとも一部には取り出し力に応じて、ミシン目切り離し力特性の次の範囲は、ディスペンサー、例えば、本明細書で開示されるディスペンサー、並びに特定の点で類似となり得る他の任意のディスペンサーからのウェットワイプのロールの取り出しを向上させる方向に有利にすることができ、好適さが増す順に、５５ｇ／ｃｍより大きく、約６０ｇ／ｃｍより大きく、約６５ｇ／ｃｍより大きく、約７５ｇ／ｃｍより大きく、又は約８５ｇ／ｃｍより大きい。更に、ミシン目切り離し力特性は、これらのうちのいずれかとすることができ、且つ約１５０ｇ／ｃｍより小さいことが好ましい。
【００５７】
また、本出願人は、ディスペンサーからウェットワイプを取り出すことは、ただ１つの又は別の特性のみよりもむしろ、特定の取り出し特性の比という観点から評価することができる、ということを見い出した。この発見は、少なくとも一部には、研究の成果と、特定の取り出し特性は互いに依存し合っているが、少なくともある程度は、互いに独立していることも可能であるという確信とに由来する。このようにして特定の特性の比を評価することにより、ウェットワイプとそれらが取り出されるディスペンサーとの間の協働性の追加的な及び／又は異なった測定、即ち、ワイプの取り出し性の向上を定量化する方法を提供することができる。このような比の１つは、ミシン目切り離し力特性と、取り出し力特性との比である。この比は、好適さの増す順に、１：１より大きく、約１．５：１に等しいか又はそれより大きく、約２：１に等しいか又はそれより大きく、約２．５：１に等しいか又はそれより大きく、約３：１に等しいか又はそれより大きく、約４：１に等しいか又はそれより大きく、約５：１に等しいか又はそれより大きく、約６：１に等しいか又はそれより大きく、約７：１に等しいか又はそれより大きくすることができる。
【００５８】
特定の取り出し特性の独立／非独立の性質の例は、表ＩＶと表Ｖを比較すると分かる。更に詳細には、各表で、サンプルＡの値とサンプルＣ及びＤの値を比較すると分かる。サンプルに対するシート幅及び切り離し力は、それぞれ各サンプルに対し、表全体で一定であることが分かる。とりわけ、デュロメータで３５度のワイパーブレードを用いた表ＩＶでは、サンプルＣ及びＤの取り出し力はサンプルＡのものより小さいが、デュロメータで５０度のワイパーブレードを用いた表Ｖでは、サンプルＣ及びＤの取り出し力はサンプルＡのものより大きい。
【００５９】
異なる種類のワイプ製品ではより低い切り離し力が得られることもあるが、一般に切り離し力は、８０ｇ〜３００ｇ（４．２５インチ、１０８．０ｍｍ当り）が意図される。ロールが巻き解かれる時に、カートリッジは、ロールに最小限の抵抗を付加する。つまり、ロールを巻き解くのに必要な力は、カートリッジにより実質的に増加することはない。また、ワイプのロール、又は積重ねたワイプを、カートリッジを使用することなく、取り出し用のトレーに直接入れてもよい。
【００６０】
図９は、ディスペンサーのカートリッジに入れられた時のロール３４を示す。螺旋状の線３８は、ロールが巻かれている形態を表すことを意図しており、その構成で底部から巻き解かれているロールを表している。カートリッジの使用は必要ではないが、それ又はロール中に水分を保持する及び／又は余分な水分が集める場所を与える類似の構造が好ましい。更に図９は、ウェットウェブに対するワイパー１０の関係を示している。
【００６１】
図１０は、カートリッジ１１の一部分、カートリッジのリップ３１、及び側壁３９及び４０を示す。カートリッジが配置されている角度は、ディスペンサーがどれ位良く機能するかに影響を与える。この角度は、ワイプの引張り出しに関連した抗力を増大させたり、又は減少させる傾向がある。それは、ウェットワイプで発生することができる吸い取り、吸い上げ、又は乾燥の量に影響を与える。それはまた、ロールが巻き解かれてカートリッジの中で次第に小さくなる時に、ロールがどのように挙動するかにも影響を与えることができる。カートリッジの角度は、リップ３１が４２で示される真の垂直軸と共に形成する角度によって測定される。図１から図９に示されるようなディスペンサーシステムでは、リップ３１が真の垂直軸４２と共に有する角度４３は、約１０°から約８０°、約２０°から約７０°、少なくとも２０°より大きく、少なくとも６０°より小さく、好ましくは約３０°とすべきである。
【００６２】
更に、この角度は、ロールを巻き解くことに関連した切り離し力と、押し付けるロールの重量との間の力を均衡させるように選択することができる。即ち、カートリッジ内でロールを余分に動かすことなくワイプを巻き解くことができ、またそれによってロールが間隙に向かって移動し、ディスペンサーに拘束されるか又はディスペンサーを塞ぐ傾向が解決される。更に、角度の選択は、ウェットワイプの乾燥を低減させる役割を果たすことができる。角度４３が増大するにつれ、ロールの上部の高さと末端部との格差が減少し、即ち、吸い取りを促すどのような力も減少させる。
【００６３】
図１１は、カバーの１実施例を示す。この実施例では、カバー７は、カバーマウント２９、指を掛ける窪みの一部を形成するための凹部５、上部内側リム部分４５及び側部内側リム部分４６（これらの一方だけが図１０で見ることができる）を有する内側リム３３、脚部部分７２、及びポスト４４を有する。この実施例では、ポストはワイパー１０（ここでは図示せず）をカバーに取り付け穴７７（例えば、図２４〜２９）で連結するのに使用されている。
【００６４】
トレーの別の実施例では、トレーはハウジングに固定されている。これは、ハウジング及びトレーが単一要素の材料で作られることによって、又はハウジング及びトレーが溶接、熱接合又は接着などの永久接合手段によって互いに接合されることにより達成されてもよい。更に別の実施例では、トレーはハウジングに対して回転できないが、取り外し可能であるようにハウジングに取り付けることができる。
【００６５】
図１２から図１６は、ワイパー組立体又はワイパー１０の一実施例を示す。この実施例では、ワイパー組立体１０は、シャシー４８及び、フィンガー４９を有するブレード５０を含む。この実施例では、フィンガーは、ハウジング上のガイドの低くなった表面１６ｂ（図２Ａ）と協働するように設計されている。この実施例では、ブレードはＳＡＮＴＯＰＲＥＮＥ（登録商標）で作られており、シャシーはポリプロピレンで作られている。
【００６６】
図１７から図１８は、ワイパーブレードの一実施例を示す。この実施例では、ワイパーブレードは、ワイパーブレード（図１８参照）を形成するように折り畳まれている単一要素の材料（図１７参照）で形成されている。ワイパーブレードは、シートに接触するワイパーブレードの表面積の量を低減させる高くなった部分５１と、ガイドの高くなった領域及び低くなった領域と協働する、高くなった領域５３及び低くなった領域５２とを有する。
【００６７】
図１９から図２３は、ワイパー又はワイパー組立体１０の一実施例を示す。この実施例では、ワイパーは、シャシー７３及び、フィンガー７５を有するワイパーブレード７４（７４ａは、シャシーと係合し、シャシーを貫通して突き出ているブレードの断面を示す）を含む。この実施例では、フィンガーは、ディスペンサーのガイド１６の低くなった表面と協働するように設計されている。この実施例では、ブレードはＳＡＮＴＯＰＲＥＮＥ（登録商標）で作られており、シャシーはポリプロピレンで作られている。この実施例は、ワイパーの高くなった、又はより厚みのある領域９７を含む。これらの高くなった領域はトレー上のガイド１６と協働する。
【００６８】
図２４から図２９は、ワイパー組立体の一実施例を示す。この実施例では、ワイパーは、シャシー７３及び、フィンガー７５を有するワイパーブレード７４（７４ａは、シャシーと係合し、シャシーを貫通して突き出ているブレードの断面を示す）を含む。この実施例では、フィンガーは、ディスペンサー中のガイド１６の低くなった表面と協働するように設計されている。この実施例では、ブレードはＳＡＮＴＯＰＲＥＮＥ（登録商標）で作られており、シャシーはポリプロピレンで作られている。この実施形態は、ワイパーの高くなった、又はより厚みのある領域９７を含む。これらの高くなった領域はトレー上のガイド１６と協働する。この実施例は、また、以下の図３２に記載されているものに構造と機能が類似した、丸みをもった隆起部９６を含む。
【００６９】
ワイパーブレードは、（ＡＳＴＭ２２４０に従い測定された場合に）ショアＡデュロメータ硬さの値が約０から８０の範囲にある、熱可塑性エラストマー、発泡体、スポンジ、プラスチック、又はゴムなどの、任意の可撓性又は弾性材料で作ることができる。本発明の他の教示と組合わせて、本出願人は取り出し特性がワイパーブレードの硬さに起因することを見い出した。１又はそれ以上の他のものと組合わせたこの特性により、ウェットワイプのロールの取り出しを向上させることができる。従って、ショアＡデュロメータでのワイパーブレードの硬さに対する次の範囲は、ディスペンサー、例えば、本明細書で開示されるディスペンサー並びに特定の点で類似となり得る他の任意のディスペンサーからのウェットワイプのロールの取り出し性を向上させる方向に有利にすることができ、好適さが増す順に、ワイパーブレードのショアＡ硬さは、デュロメータで約８０に等しいか又はそれより小さく、デュロメータで約７０に等しいか又はそれより小さく、デュロメータで約６０に等しいか又はそれより小さく、デュロメータで約５０に等しいか又はそれより小さく、デュロメータで約４５に等しいか又はそれより小さく、デュロメータで約４０に等しいか又はそれより小さく、デュロメータで約３０に等しいか又はそれより小さい。また、ワイパーブレードはこれらのうちの任意のものとすることができるショアＡ硬さを有することが好ましく、またデュロメータで約２５より小さいことが好ましい。
【００７０】
ワイパーブレードは、優れた水分障壁及び汚染障壁を形成する材料から作られることが更に好ましい。好ましい種類の材料の実施例には、ＳＡＮＴＯＰＲＥＮＥ（登録商標）、Ｋｒａｔｏｎ（登録商標）、シリコーン、又はスチレンエチレン／ブチレンスチレン（ＳＥＢＳ）がある。ワイパーブレードは、ガイド及びトレー、及びある程度はカートリッジのリップとも共に機能するように設計されている。ワイパーの配置に応じて、ワイパーは、取出しシステムのこれらの構成要素との相互作用が大きくなったり小さくなったりする。ワイパーブレードの端部とトレーとの間の間隙は、ウェットワイプの厚さ、及び取出しシステムが必要とされる機能を果たすためにはどれ位の抗力が必要であるかに応じて変化させることができる。ワイパーブレードは、ワイプの末端部を所定の場所に保持するのに役立ち、末端部が間隙からカートリッジの中へ引き込まれるのを防ぐことができる。
【００７１】
ワイパーブレードは様々な物理的特性を有することができる。例えば、その材料は、ガーレー剛性値（ＡＳＴＭ　Ｄ６１２５−９７）が約１００ｍｇから８０００ｍｇの間であり、約２００ｍｇから６０００ｍｇの間であることが好ましく、約４００ｍｇから３０００ｍｇの間であることが更に好ましい。ワイパーブレードの引張強度（ＡＳＴＭ　Ｄ４１２）は、約１００ｐｓｉから１０００ｐｓｉの間、更に好ましくは約４００ｐｓｉから約７００ｐｓｉの間とすることができる。ワイパーブレードの引裂強度（ＡＳＴＭ　Ｄ６２４）は、約３０ｐｌｉから約３００ｐｌｉの間、更に好ましくは約５０ｐｓｉから約１５０ｐｓｉの間とすることができる。ワイパーブレードの圧縮永久歪（ＡＳＴＭ　３９５Ｂ）は、約５％から３０％（室温）の間、更に好ましくは約１０％から約２５％（室温）の間とすることができ、（７０℃で）１０％から１００％まで、及び更に好ましくは（７０℃で）２０％から５０％の間とすることができる。ワイパーブレードの比重（ＡＳＴＭ　Ｄ７９２）は、約０．７０ｇ／ｃｃから１．４０ｇ／ｃｃの間、更に好ましくは約０．８５ｇ／ｃｃから約１．２０ｇ／ｃｃの間とすることができる。また、ワイパーブレードは、少なくとも取り出し中には実質的にワイパーブレードの長さ全体に渡りワイプに力をかけ、取り出していない間でも幾らかの力をかけ、中にワイプの入ったチャンバをチャンバの外側の環境からより良く密封することに役立つように設計することができる。ワイパーブレードは、使用中に表面にブルーミングし、取り出す際のワイパーブレードとワイプ間の初期摩擦係数を小さくするＫｅｍａｍｉｄｅ（登録商標）ワックスを１／１６％から１％有することができる。このような様々な特性を有するワイパーブレードを作るためのそのような利用可能な材料は、米国イリノイ州マックヘンリー所在のＧＬＳ社により販売されるＤｙｎａＦｌｅｘ（登録商標）Ｇ２７５５として知られている。
【００７２】
ワイプをディスペンサーから引張る時にワイパーブレードによりワイプに加えられる力は、ミシン目のない部位におけるワイプの引張り強さより大きくてはならず、且つミシン目を入れたワイプのミシン目の引張り強さより大きくてはならない。ワイプが保管中に乾燥しており、使用中に濡らされるように作られる場合は、ブレードはワイプに圧力を加えるように構成することができる。この場合、一枚の、又は複数枚のシートを取出すことにより、十分な剪断力がワイプに加えられ、水分を放出することができる。例えば、この力、即ち剪断力は、流体のマイクロカプセルの破裂を引き起こすのに十分なものとしてもよく、又は流体を含有している保護エマルジョンを破裂させるのに十分なものとしてもよい。
【００７３】
図３０から３２は、丸みをもった部材９５又は丸みをもった隆起部９６を有するディスペンサー１を図示している。これらの構成要素は、ワイパーブレード組立体９９の一部であるか、又はワイパーブレード組立体９９に取付けられており、ワイパーブレード７４に隣接しているものとして示されている。これらの構成要素は、ロールの寸法が小さくなるにつれ、ロールが間隙に拘束状態になる傾向を防ぐか、又は低減させる。
【００７４】
図３３は、ローラを取り外し、取付け組立体８をポスト８６と係合させた状態の従来のバスティシューホルダー８５を表わす。実際の使用に際して、取り付け組立体は、例えば図２に示されるようにディスペンサーと連結され、それによってディスペンサーはホルダー８５に取り付けられるであろう。また、代替の取付装置を使用することができる。これらの取付装置は、固定式でも取外し可能であってもよい。例として、それらには、ケーブルタイ、ウィングナット、アンカーボルト、クリック止めと溝、及びスナップとロック機構などの固定システムを含むことができる。
【００７５】
出版物、特許明細書及び本明細書に引用された特許文献は全て、引用により個々に組み込まれるように、引用により本明細書に組み込まれる。何らかの矛盾がある場合には、本明細書のすべての定義を含む本発明の開示が優先することになる。本発明は、本発明の特定の態様に関して詳細に説明されてきたが、当業者はこれらを理解するにあたり、これらの態様の変更、変形、及び同等物を容易に想到することができるが、これらは本発明の技術思想及び範囲に入り、添付の請求項の技術思想及び範囲に従って評価されるべきである。
【図面の簡単な説明】
【図１】ディスペンサーの斜視図である。
【図２】図１のディスペンサーの分解組立図である。
【図２ａ】図１のディスペンサーのトレーの正面の一部分の平面図である。
【図３】開いた位置にある図１のディスペンサーの斜視図である。
【図４】図１のディスペンサーの上面図である。
【図４Ａ】図１のディスペンサーの正面図である。
【図４Ｂ】図１のディスペンサーの底面図である。
【図５】図４Ａの線Ａ−Ａに沿った図２のディスペンサー及びカートリッジの断面図である。
【図６】ウェットワイプがディスペンサーの間隙から一部突き出ている、図１のディスペンサーの斜視図である。
【図７】カートリッジ及びウェットワイプのロールを取り付けた、ディスペンサーの斜視図である。
【図８】ウェットワイプのロールの斜視図である。
【図９】カートリッジ及びウェットワイプのロールがディスペンサーの中に配置された図７のディスペンサーの断面図である。
【図１０】カートリッジの一部の断面図である。
【図１１】ディスペンサーに使用するカバーの内側の斜視図である。
【図１２】ワイパー組立体の図である。
【図１２Ａ】図１２の線Ａ−Ａに沿った図である。
【図１３】ワイパー組立体の図である。
【図１４】ワイパー組立体の図である。
【図１５】図１４の線Ａ−Ａに沿った図である。
【図１６】ワイパー組立体の図である。
【図１７】ワイパーの図である。
【図１８】ワイパーの図である。
【図１９】ワイパー組立体の後平面図である。
【図２０】ワイパー組立体の正面平面図である。
【図２１】図２０の組立体に使用されるワイパーブレードの後平面図である。
【図２２】図２１のワイパーブレードの断面図である。
【図２３】図２１のワイパーブレードの背面斜視図である。
【図２４】ワイパー組立体の後平面図である。
【図２５】図２４の線Ａ−Ａに沿ったワイパー組立体の断面図である。
【図２６】図２４の線Ｂ−Ｂに沿ったワイパー組立体の断面図である。
【図２７】図２４のワイパー組立体の後底面斜視図である。
【図２８】図２４のワイパー組立体の後上面斜視図である。
【図２９】図２４のワイパー組立体の後上面斜視図である。
【図３０】ディスペンサーの中にカートリッジがないディスペンサーの断面図である。
【図３１】図３０のディスペンサーの一部の分解組立断面図である。
【図３２】ディスペンサーに使用するカバーの内側の一部の斜視図である。
【図３３】（ディスペンサーなしで示される）従来のバスティシューホルダーの取付け組立体の斜視図である。
【図３４】試験手順でワイプが取り出されようとしている、ディスペンサーと試験機の概略断面図である。
【図３５】試験手順の一部が終了した時、試験機の最終位置で、図３４より多くのワイプが取り出されている状態のディスペンサー、試験機及びワイプの概略断面図である。
【国際公開パンフレット】
2004506455.tif 000009
2004506455.tif 000010
2004506455.tif 000011
2004506455.tif 000012
2004506455.tif 000013
2004506455.tif 000014
2004506455.tif 000015
2004506455.tif 000016
2004506455.tif 000017
2004506455.tif 000018
2004506455.tif 000019
2004506455.tif 000020
2004506455.tif 000021
2004506455.tif 000022
2004506455.tif 000023
2004506455.tif 000024
2004506455.tif 000025
2004506455.tif 000026
2004506455.tif 000027
2004506455.tif 000028
2004506455.tif 000029
2004506455.tif 000030
2004506455.tif 000031
2004506455.tif 000032
2004506455.tif 000033
2004506455.tif 000034
2004506455.tif 000035
2004506455.tif 000036
2004506455.tif 000037
2004506455.tif 000038
2004506455.tif 000039
2004506455.tif 000040
2004506455.tif 000041
2004506455.tif 000042
2004506455.tif 000043
2004506455.tif 000044
2004506455.tif 000045
2004506455.tif 000046
2004506455.tif 000047
2004506455.tif 000048
2004506455.tif 000049
2004506455.tif 000050
2004506455.tif 000051
2004506455.tif 000052
2004506455.tif 000053
2004506455.tif 000054
2004506455.tif 000055
2004506455.tif 000056
2004506455.tif 000057
2004506455.tif 000058
2004506455.tif 000059
2004506455.tif 000060
2004506455.tif 000061
【国際調査報告】
2004506455.tif 000062
2004506455.tif 000063